(57)【要約】  本発明は、自動車用のドア閉鎖システムであって、アクチュエータ（４）を介して開放又は閉鎖操作可能なロック要素（６）と、アクチュエータ（４）をコントロールするための制御ユニット（２）とを備えたドア閉鎖システムに関する。本発明に従い、少なくとも１つのロック要素（６）にはロックポジションを検知するためのポジション監視手段（８）が付設されている。更に各ポジション監視手段（８）は、正常なロック状態が存在するかどうかをチェックするための点検手段と、ロック要素（６）の目標状態と実際状態が比較可能であるように作用接続されていて、それによりこれらの状態が一致しない場合には応答信号（Ｒ２）が生成可能である。従って、閉鎖過程が行なわれた後、車両の全てのドア及びリッドの正常なロックが簡単にチェックされ得る。
2007503538.tif 000002
【特許請求の範囲】
【請求項１】
自動車用のドア閉鎖システムであって、
−  アクチュエータ（４）を介して開放又は閉鎖操作可能なロック要素（６）と、
−  アクチュエータ（４）をコントロールするための制御ユニット（２）と
を備えたドア閉鎖システムにおいて、
−  少なくとも１つのロック要素（６）には、この少なくとも１つのロック要素（６）のロックポジションを検知するためのポジション監視手段（８）が付設されていて、
−  各ポジション監視手段（８）が、正常なロック状態が存在するかどうかをチェックするための点検手段と、ロック要素（６）の目標状態と実際状態が比較可能であるように協働し、これらの状態が一致しない場合には応答信号（Ｒ２）が生成可能であること
を特徴とするドア閉鎖システム。
【請求項２】
各ポジション監視手段（８）がセンサとして形成されていることを特徴とする、請求項１に記載のドア閉鎖システム。
【請求項３】
各ポジション監視手段（８）が、制御装置内部のデータを評価するためのソフトウェアの形式で実施されていることを特徴とする、請求項１又は２に記載のドア閉鎖システム。
【請求項４】
ポジション監視手段（８）が、コントロールすべき各アクチュエータ（４）のための電流経過の評価、特にスタート電流の電流経過及び／又は作動電流の電流経過及び／又はブロック電流の電流経過の評価を保証するように、ポジション監視手段（８）が形成されていることを特徴とする、請求項３に記載のドア閉鎖システム。
【請求項５】
全てのロック手段（６）のロック状態を保存するための記憶手段（２ａ）が設けられていることを特徴とする、請求項１〜４のいずれか一項に記載のドア閉鎖システム。
【請求項６】
少なくとも最後のロック状態を保存及び表示するための記憶手段（１２ａ）及び表示手段（１２ｂ）を備えたキー（１２）が設けられていることを特徴とする、請求項１〜５のいずれか一項に記載のドア閉鎖システム。
【発明の詳細な説明】
【技術分野】
【０００１】
本発明は、請求項１の前提部に記載した、自動車（原動機付き車両；モータビークル）用のドア閉鎖システムに関する。
【背景技術】
【０００２】
セントラルロック機能を備えた自動車用のドア閉鎖システム並びにセントラルロック機能を伴わない自動車用のドア閉鎖システムが知られている。閉鎖過程後に車両の全てのドア及びリッドが実際にも正常にロックされているかをチェックするためには、利用者がドアにおけるロックピンのポジションを信用し且つトランクルームリッドのロックを手動で検査するか、又は全てのドア及びリッドを車両の回りを巡回して手動で検査しなければならない。特に所謂電子キーを用いるシステムの場合、利用者による手動のチェックは問題となる。この種のシステムは自動で機能し、利用者（或いはキー）が車両に対して予め設定された距離にいると直ちに自動で開放過程を開始し、その結果、車両は完全自動でロック解除されるか、又はロック解除過程が準備され、利用者が開放ハンドグリップを操作すると直ちに車両が自動でロック解除される（特許文献１）。その逆に、キーが車両に対して予め設定された間隔範囲を離れると直ちに車両は自動でロックされる。従って利用者によるロックポジションの手動のチェックは、極めて手間をかけてのみ、即ち利用者が車両キーを携行していない場合にだけ、可能である。
【０００３】
更に特許文献２から自動車用のドア施錠機構が知られていて、このドア施錠機構ではロック要素の開放位置が監視される。そのためにスイッチが設けられていて、このスイッチはロック要素の開放ポジションを検知し、この開放ポジションに達すると直ちに信号を発生し、この信号は、ロック要素の駆動モータ用の供給電流を遮断するために制御ユニットにより使用される。このようにして、駆動モータがブロック状態に作動して不必要に負荷されることが防止される。
【０００４】
【特許文献１】ＤＥ１９９４２４８５Ａ１
【特許文献２】ＤＥ１０１５５８３６Ａ１
【発明の開示】
【発明が解決しようとする課題】
【０００５】
本発明の基礎を成す課題は、特に快適性と安全性に関して改善された、自動車用のドア閉鎖システムを創作することである。
【課題を解決するための手段】
【０００６】
前記の課題は、本発明に従い、請求項１に記載した全ての構成要件により解決される。この種のドア閉鎖システムは、ロック要素を開放或いは閉鎖するための電気駆動装置又は液圧駆動装置などの形式のアクチュエータと、アクチュエータをコントロールするための制御ユニット（例えば、別個のドア制御装置又は中央のモータ制御装置）と、ロック要素をポジション監視するためのポジション監視手段（例えば、光電子遮断柵、接近センサ、又はリミットスイッチ）とを含んでいる。更にこのシステムは、正常なロック状態が存在するかどうかをチェックするための点検手段を含んでいる。それにより、ロック要素の目標状態及び実際状態が、これらの状態が一致しない場合には応答信号が生成されるように比較される。この応答信号は、ホーンやヘッドライトなどのような信号発生器を直接的にコントロールするために使用されるか、又は信号発生器用のコントロール信号を発生させるための中間信号として用いられる。
【０００７】
好ましくは、点検手段はドア制御装置又は中央制御装置の一部分として形成されている。これらの点検手段には、閉鎖命令及び開放命令であってこれらの命令を介してロック要素の対応する目標状態が定義されるという命令も、ポジション監視手段を介して検知されたロック状態であってこのロック状態を介してロック要素の各々の実際状態が定義されているというロック状態も提供される。これらの点検手段は、本発明に従い、これらの点検手段が、実際状態と目標状態のずれに基づき、正常でないロック状態（ロック命令が行なわれたにも拘らずロックされていない）を検知し、応答信号を生成するように形成されている。応答信号を生成するためには、例えば、車両の光源（ヘッドライト、方向指示器（フラッシャ）、テールランプ、車内照明具など）又は音源（ホーン）が適切な方式で所定の信号パターンによりコントロールされ得る。
【０００８】
ポジション監視は様々な形式で行われ得る。第１の可能な実施形態では、センサを介してポジション監視を実現することが意図されていて、この際、それらのセンサはロック手段の実際のポジションを検知する。本発明の第２の可能な実施形態では、制御装置内部のデータを評価することによりポジション監視を実現することが意図されている。そのためには、例えば、アクチュエータをコントロールする制御装置の、或いは対応する別個に形成された点検手段又は制御装置内に組み込まれている点検手段の、制御装置内部の自己診断が援用され得る。特に、電気モータとして形成されているアクチュエータのスタート電流及び／又は作動電流及び／又はブロック電流の典型的な電流経過の評価が行われる。それによりロック要素又はアクチュエータの実際のポジションは検知されない。つまり、枠付け条件のチェックに基づき、ロック要素の目下のポジションが推測される。また、ポジション監視及び機能監視は、特にセンサ監視とソフトウェア監視の組み合わせによっても行われ得る。
【０００９】
本発明の他の構成では、正常でないと検知されたロック状態が、自動車の搭載電子装置内及び／又は自動車キー内にも保存される。このようにして利用者は、一方では、例えばボードコンピュータ上で、どのロック要素が正常でなく閉じられたか、従って場合により故障しているかをいつでも呼び出すことができる。他方において利用者は、たとえこの利用者が車両から既に離れてしまっていても、自分のキーの照会に基づき、自分の車両が実際に（正常に）ロックされたかどうかをいつでもチェックすることができる。そのためにキーは、例えば所定のボタンを押すことにより照会され得て、情報が例えば発光ダイオードの点灯（緑：正常にロックされた、赤：正常にはロックされなかった）により表示され得る。
【００１０】
本発明に従うドア閉鎖システムは、好ましくは中央ロック機能を有するシステムにおいて使用される。
【００１１】
本発明に従い形成されたドア閉鎖システムにより、利用者は、ロックが完全に行なわれた後、或いはロック過程が完了した後、車両が実際にも正常に閉じられて保護されているか否かの応答を得る。例えば、ロック手段を駆動するための電気モータの形式のアクチュエータが故障しているため、又は単に挟まって動かないため、閉鎖過程が起動されたにも拘らず車両が正常にはロックされていない場合、光信号及び／又は警笛信号のような適切な措置によりこの状況が指摘される。キーにおける振動信号も応答信号として想定可能である。このことは、行なわれた光警告又は音警告にも拘らず自分の車両が正常にロックされたと利用者が思っている場合に特に有利である。この振動信号は、有利には、閉鎖命令が行われた後に（例えばボタン押圧による）確認により利用者の側でこの振動信号が抑制されない場合には常にある程度の時間遅延をもって起動され得る。
【発明を実施するための最良の形態】
【００１２】
次に、図面に基づき、本発明を詳細に説明する。
【実施例１】
【００１３】
図１に概要として描かれている配線図は、車両ドア及び／又はトランクルームカバー及び／又はスライディングルーフ及び／又は別のリッドをロックするための電気モータの形式のアクチュエータ４をコントロールするための制御ユニット２を示している。アクチュエータ４を用い、ロック要素６が開閉操作可能である。各ロック要素６にはポジション監視手段８が付設されている。これらのポジション監視手段８は、リミットスイッチなどの形式のセンサとして、又は制御装置内部のデータを評価するためのソフトウェア手段８ｂとして、又はセンサとソフトウェア手段の組み合わせの形式をもって形成され得る。ポジション監視手段８は制御ユニット２と接続されていて、それにより制御ユニット２には常に少なくとも各ロック要素６のロックポジションが伝達される。検知されたロックポジションは、特に正常でないロックポジションが検知された場合、対応するロック要素６に対する対応関係と共に記憶手段２ａ内に保存可能である。これらの記憶手段２ａは、例えば制御ユニット２又は中央制御装置の構成部分であり得る。
【００１４】
更に、少なくとも１つのロック要素６の正常でないロック状態を信号化するために制御ユニット２に連結されている信号発生器１０が設けられている。キー１２を介し、ロック過程を起動するために閉鎖信号Ｓが発生可能である。閉鎖過程は、図示されているように遠隔信号を介し、又は手動でも行なわれ得る。制御ユニット２とアクチュエータ４とポジション監視手段８を備えたシステムは、好ましくは各ロック要素６に付設されている。この際、個々の制御ユニット２（ドア制御装置）は、バスシステムを介し、他の制御装置、特に中央制御装置と接続されている。選択的にそれらの制御ユニット２は省略され得て、中央制御装置内の対応する機能で置換され得る。
【００１５】
図２には、図１に従う配線図に付属する、閉鎖過程のための時間グラフが示されている。閉鎖過程の開始により、時点ｔ１において、期間ｔｄ１の間、閉鎖信号Ｓが発生される。好ましくは、実質的にそれと同時に、それにより読取信号Ｌが、期間ｔｄ２の間、制御ユニット２内で生成される。時点ｔ３における読取信号Ｌの下降エッジ（立下り）のときに各ロック要素６のロックポジションが照会される。そのためにロック要素６の個々のロック信号ＶＥが読み込まれる。
【００１６】
全てのロック要素６が正常にロックしている場合、各ポジション監視手段８は対応する信号ＶＥ１（ここではハイ（high））を提供する。この場合、制御ユニット２は信号Ｒ１（ここではロー（low））を提供し、この信号は利用者にとって知覚可能な応答信号を起動するものではない。１つの又は複数のロック要素６のロックが正常でない場合、正常にロックされていないロック要素６の各ポジション監視手段８はこの状態に対応するロック信号ＶＥ２（ここではロー（low））を提供する。ロック信号ＶＥ２に基づき、照会の時点（ここでは読取信号Ｌの下降エッジ）において応答信号Ｒ２が生成される。ロック状態の前述の照会は単に例として理解されるべきである。つまり追加的な読取信号Ｌは省略され得て、閉鎖信号Ｓの下降エッジのときに照会を行ってもよい。また、照会を閉鎖信号Ｓに全く依存しないで実現することも想定可能である。この場合には、別個の検査信号を用いるだけで、目下存在しているロック要素６のロック状態が照会され、この状態が、最後に出された（保存された）命令（閉鎖命令−ロック・アクティブ／開放命令−ロック・インアクティブ）と一致するかがチェックされる。
【００１７】
図３には、電気モータの形式のアクチュエータ４をコントロールするための、時間に関する様々な電流経過が描かれている。
【００１８】
第１の電流経過Ｉ1(t)は、アクチュエータ４によりコントロールされるロック要素６の正確で誤りのない閉鎖過程時における、アクチュータ４のためのコントロール電流を示している。この際、誤りのない閉鎖過程時に生成された、アクチュエータ４のためのコントロール電流の電流経過は、実質的に３つの段階に分割される。第１段階には、モータの運転開始時、短期の間、増加されたスタート電流が存在し、このスタート電流は、その後、モータの通常稼動時に調節される作動電流に適応する。第２段階には、モータの運転段階中、全時間に渡り、調節された作動電流が存在する。第３段階においてモータはその終端位置に達したが変わらずに電流供給され、その結果、モータは、強く増加された負荷（即ちモータがブロック状態に作動すること）に基づき、強く増加された電流を引き入れる。この電流経過は極めて特徴的であり、従って簡単に監視され得る。この経過における対応的なずれは、誤りの存在を直接的に推測させる。制御手段は、好ましくは、検知された電流経過に基づき、存在する誤りの種類が推測され得るように形成されている。
【００１９】
２番目、３番目、４番目の電流経過は、各々、正確でない閉鎖過程時の電流経過を示している。
【００２０】
第２の電流経過Ｉ2(t)は、次のような閉鎖過程を具現化している、即ち、この閉鎖過程では、例えば、モータにより駆動すべきロック要素６がブロックされていて、それによりモータコントロールの始めから運動され得ず、従ってモータが始めからブロック状態に作動し、明らかに増加されたブロック電流を全コントロール時間に渡って引き込んでいる。
【００２１】
第３の電流経過Ｉ3(t)では、モータが、故障に基づき、ロック要素６から機械的に連結解除されている。従ってモータは負荷を伴わずに作動し、全コントロール時間に渡って明らかに減少された電流を引き込んでいる。更にモータはコントロール時間の終わりごろにおいてもブロック状態には作動せず、その結果、コントロール時間の終わりごろにおける特徴的な電流上昇は見られない。
【００２２】
最後のグラフは、モータが電気的に解放されている場合の電流経過Ｉ4(t)と、モータが電気的に短絡されている場合の電流経過Ｉ4’(t)を示している。
【００２３】
誤りのある全ての電流経過は、ロック要素６の正確な閉鎖過程のための電流経過とは明らかに区別され、その結果、前もって定義された時点に電流値を単純に照会することより、誤りのある閉鎖過程の存在及び存在する誤りの種類が推測され得る。特に、スタート電流（段階Ｉ）及びブロック電流（段階ＩＩＩ）の頂点におけるコントロール電流のための電流値の照会により、並びに好ましくは段階ＩＩの中央領域における作動電流の照会により、正確な又は正確でない閉鎖過程の存在に関して情報提供され、正確でない閉鎖過程が存在する場合には、存在する誤りの種類に関して情報提供が行われる。
【図面の簡単な説明】
【００２４】
【図１】本発明の可能な実施形態を示す概要図である。
【図２】本発明に従うドア閉鎖システムの閉鎖過程のための時間グラフを示す図である。
【図３】例として、ロック要素の正確な及び正確でない閉鎖過程のための、アクチュエータのコントロール時の様々な電流経過を示す図である。
【符号の説明】
【００２５】
２    制御ユニット
２ａ  記憶手段
４    アクチュエータ（電気モータ）
６    ロック要素
８    ポジション監視手段
１０    信号発生器
１２    キー
１２ａ  記憶手段
１２ｂ  表示手段
Ｓ    閉鎖信号
ＶＥ    ロック信号
【図１】
2007503538.tif 000003
【図２】
2007503538.tif 000004
【図３】
2007503538.tif 000005
【国際調査報告】
2007503538.tif 000006
2007503538.tif 000007
2007503538.tif 000008
2007503538.tif 000009
2007503538.tif 000010
2007503538.tif 000011